【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
第１のユーザにより入力された情報生成命令であって少なくとも２つのユーザ識別情報を含む情報生成命令を受信するステップ（Ｓ１１０）と；
前記少なくとも２つのユーザ識別情報を所定の方法で組み合わせて連続テキスト情報を入手するステップとを備え、前記連続テキスト情報中の前記少なくとも２つのユーザ識別情報は分離文字列によって分離され、前記分離文字列は予め定義された文字又は文字の組み合わせであり（Ｓ１２０）：
所定のアルゴリズムと前記連続テキスト情報とに基づいて、ターゲット情報を生成するステップ（Ｓ１３０）と；をさらに備える、
情報生成方法。
【請求項２】
前記少なくとも２つのユーザ識別情報を所定の方法で組み合わせて連続テキスト情報を入手する前記ステップは：
前記少なくとも２つのユーザ識別情報を所定の分類規則に基づいて分類するステップと；
前記分類された少なくとも２つのユーザ識別情報を前記所定の方法で組み合わせて前記連続テキスト情報を入手するステップと；を有する、
請求項１に記載の情報生成方法。
【請求項３】
前記ターゲット情報は画像情報又は音声情報を含む、
請求項１又は請求項２に記載の情報生成方法。
【請求項４】
前記少なくとも２つのユーザ識別情報を取得するステップを備え、当該ステップは；
予め生成されたターゲット情報を認識して、予め定義された文字又は文字の組み合わせである分離文字列によって分離された少なくとも２つのユーザ識別情報を含む連続テキスト情報を入手するステップ（Ｓ２１０）と；
前記連続テキスト情報を解析して前記少なくとも２つのユーザ識別情報を入手するステップ（Ｓ２２０）と；を備える、
請求項１に記載の情報生成方法。
【請求項５】
前記連続テキスト情報を解析して前記少なくとも２つのユーザ識別情報を入手する前記ステップは：
前記連続テキスト情報から前記分離文字列を除去するステップであり、前記分離文字列の除去後に得られる前記連続テキスト情報は少なくとも２つのサブテキスト情報を含み；
前記少なくとも２つのサブテキスト情報を、前記少なくとも２つのユーザ識別情報として用いるステップと；を有する、
請求項４に記載の情報生成方法。
【請求項６】
少なくとも２つのユーザ識別情報を入手するためにサーバが前記連続テキスト情報を解析できるように、前記サーバへ前記連続テキスト情報を送信し；
前記サーバから送信された前記少なくとも２つのユーザ識別情報を受信し、前記少なくとも２つのユーザ識別情報を表示するステップ（Ｓ３３０）と；
第２のユーザにより入力された情報に基づいて、対応する操作を前記少なくとも２つのユーザ識別情報に実行するステップ（Ｓ３４０）と：をさらに備える、
請求項４に記載の情報生成方法。
【請求項７】
少なくとも２つのアカウント情報を入手するために決済サーバが前記連続テキスト情報を解析できるように、前記連続テキスト情報を前記決済サーバへ送信し；
前記決済サーバから送信された前記少なくとも２つのアカウント情報を受信し、前記少なくとも２つのアカウント情報を表示するステップ（Ｓ４３０）と；
決済者により入力された情報に基づいて、各々の前記アカウント情報に対応した決済金額を判定するステップ（Ｓ４４０）と；
各々の前記アカウント情報に対応した前記決済金額に基づいて、決済操作を実行するステップ（Ｓ４５０）と；をさらに備える、
請求項５に記載の情報生成方法。
【請求項８】
前記決済者が入力した前記情報は、１つのアカウント情報に対応した第１の決済金額、及び、別のアカウント情報に対応した第２の決済金額の前記第１の決済金額に対する比；又は、各々の前記アカウント情報に対応した決済金額；を含む、
請求項７に記載の情報生成方法。
【請求項９】
請求項１乃至請求項８のいずれか１項に記載の情報生成方法を実行する複数のユニットを備える、
情報生成装置。
【手続補正２】
【補正対象書類名】明細書
【補正対象項目名】０１２５
【補正方法】変更
【補正の内容】
【０１２５】
先の詳細な説明では、本願の目的、技術的解決策、恩恵を更に詳細に述べた。先の記載は本願の実施に過ぎず、本願の保護範囲を限定するものではない。本願の主旨及び原理から逸脱することなくなされたあらゆる修正も、均等物との代替も、改良も、本願の保護範囲に含まれるものとする。
１．  第１の態様の情報生成方法は；
第１のユーザにより入力された情報生成命令であって少なくとも２つのユーザ識別情報を含む情報生成命令を受信するステップと；
前記少なくとも２つのユーザ識別情報を所定の方法で組み合わせて連続テキスト情報を入手するステップとを備え、
前記連続テキスト情報中の前記少なくとも２つのユーザ識別情報は分離文字列によって分離され、前記分離文字列は予め定義された文字又は文字の組み合わせであり：
所定のアルゴリズムと前記連続テキスト情報とに基づいて、ターゲット情報を生成するステップと；をさらに備える。
２．  第２の態様の情報生成方法は、上記第１の態様において、前記少なくとも２つのユーザ識別情報を所定の方法で組み合わせて連続テキスト情報を入手する前記ステップは：前記少なくとも２つのユーザ識別情報を所定の分類規則に基づいて分類するステップと；前記分類された少なくとも２つのユーザ識別情報を前記所定の方法で組み合わせて前記連続テキスト情報を入手するステップと；を有する。
３．  第３の態様の情報生成方法は、上記第１の態様又は第２の態様において、前記ターゲット情報は画像情報又は音声情報を含む。
４．  第４の態様の情報取得方法は；
予め生成されたターゲット情報を認識して、予め定義された文字又は文字の組み合わせである分離文字列によって分離された少なくとも２つのユーザ識別情報を含む連続テキスト情報を入手するステップと；
前記連続テキスト情報を解析して前記少なくとも２つのユーザ識別情報を入手するステップと；を備える。
５．  第５の態様の情報取得方法は、上記第４の態様において、前記連続テキスト情報を解析して前記少なくとも２つのユーザ識別情報を入手する前記ステップは：前記連続テキスト情報から前記分離文字列を除去するステップであり、前記分離文字列の除去後に得られる前記連続テキスト情報は少なくとも２つのサブテキスト情報を含み；前記少なくとも２つのサブテキスト情報を、前記少なくとも２つのユーザ識別情報として用いるステップと；を有する。
６．  第６の態様の情報処理方法は；
予め生成されたターゲット情報を認識して連続テキスト情報を入手するステップと；
少なくとも２つのユーザ識別情報を入手するためにサーバが前記連続テキスト情報を解析できるように、前記サーバへ前記連続テキスト情報を送信するステップと；
前記サーバから送信された前記少なくとも２つのユーザ識別情報を受信し、前記少なくとも２つのユーザ識別情報を表示するステップと；
第２のユーザにより入力された情報に基づいて、対応する操作を前記少なくとも２つのユーザ識別情報に実行するステップと：を備える。
７．  第７の態様の決済方法は；
予め生成されたターゲット情報を認識して連続テキスト情報を入手するステップと；
少なくとも２つのアカウント情報を入手するために決済サーバが前記連続テキスト情報を解析できるように、前記連続テキスト情報を前記決済サーバへ送信するステップと；
前記決済サーバから送信された前記少なくとも２つのアカウント情報を受信し、前記少なくとも２つのアカウント情報を表示するステップと；
決済者により入力された情報に基づいて、各々の前記アカウント情報に対応した決済金額を判定するステップと；
各々の前記アカウント情報に対応した前記決済金額に基づいて、決済操作を実行するステップと；を備える。
８．  第８の態様の決済方法は、上記第７の態様において、前記決済者が入力した前記情報は、１つのアカウント情報に対応した第１の決済金額、及び、別のアカウント情報に対応した第２の決済金額の前記第１の決済金額に対する比；又は、各々の前記アカウント情報に対応した決済金額；を含む。
９．  第９の態様の情報生成装置は；
受信ユニットと、組み合わせユニットと、生成ユニットとを備え、
前記受信ユニットは、第１のユーザにより入力された、少なくとも２つのユーザ識別情報を含む情報生成命令を受信するように構成され；
前記組み合わせユニットは、連続テキスト情報を入手するために、前記受信ユニットが受信した前記少なくとも２つのユーザ識別情報を所定の方法で組み合わせるように構成され、前記連続テキスト情報中の前記少なくとも２つのユーザ識別情報は分離文字列によって分離されており、前記分離文字列は予め定義された文字又は文字の組み合わせであり；
前記生成ユニットは、所定のアルゴリズムと、前記組み合わせユニットが入手した前記連続テキスト情報と、に基づいて、ターゲット情報を生成するように構成されている。
１０．  第１０の態様の情報生成装置は、上記第９の態様において、前記組み合わせユニットは：前記少なくとも２つのユーザ識別情報を所定の分類規則に基づいて分類し、かつ、前記連続テキスト情報を入手するために、前記分類された少なくとも２つのユーザ識別情報を所定の方法で組み合わせるように構成されている。
１１．  第１１の態様の情報生成装置は、上記第９の態様又は第１０の態様において、前記ターゲット情報は画像情報又は音声情報を含む。
１２．  第１２の態様の情報取得装置は；
認識ユニットと、解析ユニットとを備え；
前記認識ユニットは、連続テキスト情報を入手するために、予め生成されたターゲット情報を認識するように構成され、前記連続テキスト情報は、予め定義された文字又は文字の組み合わせである分離文字列によって分離された少なくとも２つのユーザ識別情報を含み、；
前記解析ユニットは、前記少なくとも２つのユーザ識別情報を入手するために、前記認識ユニットが入手した前記連続テキスト情報を解析するように構成されている。
１３．  第１３の態様の情報取得装置は、上記第１２態様において、前記解析ユニットは：前記連続テキスト情報から前記分離文字列を除去するように構成され、前記分離文字列の除去後に得られた前記連続テキスト情報は少なくとも２つのサブテキスト情報を含み；前記少なくとも２つのサブテキスト情報を、前記少なくとも２つのユーザ識別情報として用いるように構成されている。
１４．  第１４の態様の情報処理装置は；
認識ユニットと、送信ユニットと、受信ユニットと、実行ユニットとを備え；
前記認識ユニットは、連続テキスト情報を入手するために、予め生成されたターゲット情報を認識するように構成され；
前記送信ユニットは、少なくとも２つのユーザ識別情報を入手するためにサーバが前記連続テキスト情報を解析できるように、前記認識ユニットが入手した前記連続テキスト情報を前記サーバへ送信するように構成され；
前記受信ユニットは、前記サーバから送信された前記少なくとも２つのユーザ識別情報を受信し、前記少なくとも２つのユーザ識別情報を表示するように構成され；
前記実行ユニットは、第２のユーザにより入力された情報に基づいて、対応する操作を前記少なくとも２つのユーザ識別情報に実行するように構成されている。
１５．  第１５の態様の決済クライアントは；
認識ユニットと、送信ユニットと、受信ユニットと、判定ユニットと、実行ユニットとを備え；
前記認識ユニットは、連続テキスト情報を入手するために、予め生成されたターゲット情報を認識するように構成され；
前記送信ユニットは、少なくとも２つのアカウント情報を入手するために決済サーバが前記連続テキスト情報を解析できるように、前記認識ユニットが入手した前記連続テキスト情報を前記決済サーバへ送信するように構成され；
前記受信ユニットは、前記決済サーバから送信された前記少なくとも２つのアカウント情報を受信し、前記少なくとも２つのアカウント情報を表示するように構成され；
前記判定ユニットは、決済者が入力した情報に基づいて、各々の前記アカウント情報に対応した決済金額を判定するように構成され；
前記実行ユニットは、前記判定ユニットにより判定され、各々の前記アカウント情報に対応した前記決済金額に基づいて、決済操作を実行するように構成されている。
１６．  第１６の態様の決済クライアントは、上記第１５態様において、前記決済者が入力した前記情報は、１つのアカウント情報に対応した第１の決済金額、及び、別のアカウント情報に対応する第２の決済金額の前記第１の決済金額に対する比；又は、各々の前記アカウント情報に対応した決済金額を含む。